(57)【要約】      （修正有）【課題】部品点数を減らして軽量化し、内部スペースを増やし、点検、配線、中蓋の開閉等が容易な、分電盤の提供。【解決手段】分岐開閉器などの電気機器を固定させる基板３を取付具１３により箱体１に取り付け、基板３に中扉取付用支柱を立設せずに且つ基板３とは別個に箱体１に分岐開閉器などの電気機器の操作部を露出させる中扉５を取付けてなり、中扉５において分電盤外部との接触を断つ為の枠体及び中扉の取付用枠体を設けない分電盤Ｂ。【効果】従来例の中扉取付用支柱や化粧枠や中皿取付枠を不要としたので、部品点数が軽減され簡単に分電盤を組立でき、電盤が軽量化されての輸送が楽になり、内部スペースを拡大でき、点検、ブレーカ等脱着も容易になり、又、配線における電線が結束し易くなった。又、特殊の蝶番を使用することにより中蓋の開閉が容易になった。【選択図】図１
2006020422.tif 000002
【特許請求の範囲】
【請求項１】
分電盤において、分岐開閉器などの電気機器を固定させる基板を取付具により箱体に取付け、当該基板に中扉取付用支柱を立設せずに且つ当該基板とは別個に箱体に前記分岐開閉器などの電気機器の操作部を露出させる中扉を取付けてなり、当該中扉において分電盤外部との接触を断つ為の枠体及び当該中扉の取付用枠体を設けないことを特徴とする分電盤。
【請求項２】
分電盤において、第１の羽根部、第２の羽根部及び第３の羽根部よりなる３枚の羽根部と、前記第１の羽根部と第２の羽根部との間に介在した第１の軸部と前記第２の羽根部と第３の羽根部との間に介在した第２の軸部とよりなる２個の軸部とを備えてなり、前記第２の羽根部は前記第１の羽根部に設けられた孔との間の固着孔を有し、前記第１の羽根部は当該第１の羽根部を分電盤の箱体に固定することができる支持体固定孔を有していると共に、前記第２の羽根部に設けられた固着孔との間の固着孔を有し、前記第３の羽根部は分電盤の中扉を取付けることができる取付孔を有してなり、且つ、当該第２の羽根部及び第３の羽根部との間に介在した前記第２の軸部は抜き差しが可能に構成され、当該第３の羽根部と第２の羽根部との間で脱着が可能に構成されてなる蝶番にて分岐開閉器などの電気機器の操作部を露出させる中扉を取付けてなることを特徴とする分電盤。
【発明の詳細な説明】
【技術分野】
【０００１】
本発明は、分電盤に関するものである。
【背景技術】
【０００２】
従来の分電盤Ｂは、例えば、図１１（Ａ）に示すように、箱体１と取付具２と基板（中板）３と支柱４と中扉（中皿）５と化粧枠６と中皿取付枠７と外扉８とを備えてなっている。
当該基板３は、分岐開閉器などの複数の電気機器を固定させるもので、図示のように、取付馬と称される取付具２により箱体１に取り付けられている。
当該基板３には、中扉取付用支柱４を立設して中扉５を取付けている。当該中扉５は、分岐開閉器などの複数の電気機器の操作部を露出させるもので、従来例では、上記のように、当該中扉５を基板３に取付る為に、中扉取付用支柱４を立設している。
当該基板３には、例えば、主幹ブレーカ（開閉器）９と分岐ブレーカ（開閉器）１０が取り付けられ、当該中扉５には、当該主幹ブレーカ９と分岐ブレーカ１０のそれぞれの操作部（ハンドル）１１を突出しさせる複数の窓孔が開けられている。
図１１（Ｂ）は、当該中扉５において当該主幹ブレーカ９と分岐ブレーカ１０のそれぞれのハンドル１１が窓孔から突出しさせる様子を例示している。
当該中扉５は、上記のように、主幹ブレーカ９及び分岐ブレーカ１０のそれぞれのハンドル１１を突出しさせて、当該箱体内部の主幹ブレーカ９及び分岐ブレーカ１０の導電部及びその間の接続導電部１２への接触（感電）を回避するために、箱体の開口部を塞ぐ形で当該箱体１に取付けられている。
主幹ブレーカ９と分岐ブレーカ１０のそれぞれのハンドル１１の操作は、外扉８を開けることにより可能で、当該外扉８を開けると、当該分電盤Ｂは、その箱体１の一面が開口される。
上記のように、主幹ブレーカ９及び分岐ブレーカ１０の導電部及びその間の接続導電部１２への接触（感電）を回避するために中扉５が設けられ、又、化粧枠６により、外部との接触を断っている。
又、当該中扉（中皿）５の取付には、中皿取付枠７も設けられている。
従って、従来例の分電盤では、中扉５を基板３に取付る為の中扉取付用の支柱４を必要とし、又、中扉５と外部との接触を断つ為の化粧枠６を必要とし、更には、中扉（中皿）５の取付の枠（枠体）として中皿取付枠７を必要としていた。
上記を更に図１２及び特開２０００−１５２４３３号公報に記載された分電盤の図５を共通させて説明するに、分電盤の箱体１の取付具２（当該公報の図５では両側片８）に基板３（当該公報の図５では基板１４）を取付け、当該基板３（基板１４）に中扉取付用支柱４（当該公報の図５では中蓋取付支柱１７）を設けて中扉５（当該公報の図５では中蓋１８）を取付け、当該該中扉５と基板３との間に分岐開閉器９，１０（当該公報の図５では分岐開閉器１６、１６、当該公報では、上下に開閉器が位置している。）が設置され、そのハンドル１１（当該公報の図５ではハンドル１６ａ）が当該中扉５の窓から突き出しし、中扉取付用支柱４を介して中扉５が取付けられている。
その為、中扉取付用の支柱４の存在により基板３と中扉５との間（ガータスペース）がそれにより規制（固定）され、狭く、開閉器９等の電気機器の設置のスペースを狭くして、製造工程や点検などで問題を生じ、当該支柱４が邪魔をして有効利用を図ることができず、例えば、電線の固定を難しいものにしていた。
又、化粧枠６や中皿取付枠７の存在により、製造工程が複雑化したり、中扉５の取り外しがやっかいで時間が掛かりすぎたりする等の問題を生じ、更には、中扉取付用支柱４や化粧枠６や中皿取付枠７の存在は、分電盤を重くし、又、コストを高いものにもしていた。
【特許文献１】特開２０００−１５２４３３号公報、特開２００３−２４４８０６号公報、特開２００１−１８６６１０号公報
【発明の開示】
【発明が解決しようとする課題】
【０００３】
本発明は、前記のような問題点を解消することができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）分電盤において、分岐開閉器などの電気機器を固定させる基板を取付具により箱体に取付け、当該基板に中扉取付用支柱を立設せずに且つ当該基板とは別個に箱体に前記分岐開閉器などの電気機器の操作部を露出させる中扉を取付けてなり、当該中扉において分電盤外部との接触を断つ為の枠体及び当該中扉の取付用枠体を設けないことを特徴とする分電盤。
（請求項２）分電盤において、第１の羽根部、第２の羽根部及び第３の羽根部よりなる３枚の羽根部と、前記第１の羽根部と第２の羽根部との間に介在した第１の軸部と前記第２の羽根部と第３の羽根部との間に介在した第２の軸部とよりなる２個の軸部とを備えてなり、前記第２の羽根部は前記第１の羽根部に設けられた孔との間の固着孔を有し、前記第１の羽根部は当該第１の羽根部を分電盤の箱体に固定することができる支持体固定孔を有していると共に、前記第２の羽根部に設けられた固着孔との間の固着孔を有し、前記第３の羽根部は分電盤の中扉を取付けることができる取付孔を有してなり、且つ、当該第２の羽根部及び第３の羽根部との間に介在した前記第２の軸部は抜き差しが可能に構成され、当該第３の羽根部と第２の羽根部との間で脱着が可能に構成されてなる蝶番にて分岐開閉器などの電気機器の操作部を露出させる中扉を取付けてなることを特徴とする分電盤。
【発明の効果】
【０００５】
本発明によれば、その分電盤は、従来例の中扉取付用支柱や化粧枠や中皿取付枠を不要としたので、部品点数が軽減され、簡単な組立にて短時間に分電盤を組立でき、又、重量のある中扉取付用支柱などが無くなるので、分電盤が軽量化され、分電盤の輸送が楽になる。従来例のような中扉取付用支柱を設けないので、基板と当該中扉との間のスペースを拡大させることができ、点検が楽になり、ブレーカ等の内機の脱着も容易になり、又、配線における電線が結束し易くなった。
又、本発明による特殊の蝶番を使用することにより、中蓋の開閉が容易になったので、分電盤の点検などが容易になり、ブレーカ等の内機の脱着も容易になり、特に、分電盤における中蓋のような分電盤箱体の内部に比較的に深く引き込まれていて、当該内部ではその中蓋が箱体の天井壁に当接して開閉しづらいような場合でも、本発明による蝶番を使用することにより、中蓋の開閉が容易になった。
【発明を実施するための最良の形態】
【０００６】
図１及び図２（Ａ）に示すように、分電盤Ｂは、箱体１と基板３と中扉５と外扉８とを備えてなっている。
図１及び図２（Ａ）に示すように、分電盤Ｂは、箱体１に取付具１３にて基板３を取り付けている。
図４（Ａ）に示すように、当該取付具１３は、支持金物１３０とボルト１３１と座金１３２とナット１３３とを備えてなっている。尚、図示例では、ボルト１３１と座金１３２とナット１３３との組み合わせを例示しているが、他の締結具を用いてもよい。
図４（Ｃ）及び（Ｄ）に示すように、当該取付具１３における支持金物１３０は、ひ字状断面を有し、中央部に前記ボルト１３１等のスライド孔１３００が設けられている、
図４（Ｅ）に示すように、当該支持金物１３０のスライド孔１３００に前記ボルト１３１等をスライドさせて装着する。
図４（Ａ）及び（Ｂ）に示すように、基板３の両側に座金１３２を介在させて、ボルト１３１とナット１３３とで支持金物１３０に基板３を締め付け固定する。当該図では省略されているが、当該支持金物１３０を箱体１に取り付ける。
図３に示すように、基板３をその断面がひ字状になるように構成し、当該基板３の両側端部３００を前記のように取付具１３にて箱体１に取り付ける。
従来例では、特開２０００−１５２４３３号公報に記載のように、何段にも渡った取付馬と称される両側片８により基板を取り付けていたが、本発明では、基板３の形態を上記のように工夫し、又、当該取付具１３にも上記のように工夫を施し、当該取付具１３による基板３の取付も当該基板３の折り曲げられた両側端部３００の例えば４ヶ所を取り付ければよいように簡略化し、又、従来例の取付馬よりも軽量化することができた。
【０００７】
図１に示すように、分電盤Ｂにおいて、中扉５を箱体１に取り付けるが、同図に示すように、当該中扉５の一方の端部は、ローレット部１４にて取付け、他方の端部は、本発明者らにより考案された新規の蝶番１５を用いて取り付ける。
【０００８】
図６（Ａ）及び（Ｂ）に示すように、蝶番１５は、第１の羽根部１５１、第２の羽根部１５２及び第３の羽根部１５３よりなる３枚の羽根部と、前記第１の羽根部１５１と第２の羽根部１５２との間に介在した第１の軸部１５４と前記第２の羽根部１５２と第３の羽根部１５３との間に介在した第２の軸部１５５とよりなる２個の軸部とを備えてなる。
当該第２の軸部１５５は抜き差しが可能に構成されており、図６（Ｃ）に示すように、第３の羽根部１５３を第２の羽根部１５２から上方向に脱すことができるようになっている。
図６（Ｄ）及び（Ｅ）に示すように、蝶番１５は、図示右側の第１の羽根部１５１、第２の羽根部１５２、第１の軸部１５４及び第２の軸部１５５のヒンジ１５５０の下半分とヒンジピン（ヒンジ軸）１５５１よりなる部分と、図示左側の第３の羽根部１５３と第２の軸部１５５のヒンジ１５５０の上半分とよりなる部分とに、分離される。
尚、第１の軸部１５４は、図示のように、ヒンジ１５４０とヒンジピン（ヒンジ軸）１５４１とよりなる
【０００９】
図６（Ａ）及び（Ｂ）に示すように、当該蝶番１５における第１の羽根部１５１には、上下方向に３つの孔１５７，１５６，１５７が開けられている。当該第１の羽根部１５１
におけるその中央の孔１５６は、第２の羽根部１５２の中央に設けられた固着孔１５８との間の固着孔である。当該第１の羽根部１５１における当該中央の固着孔１５６の上下に離隔して設けられた２つの孔１５７、１５７は、当該蝶番１５の第１の羽根部１５１を箱体１に固定することができる支持体固定孔である。
上記のように第２の羽根部１５２には、当該第１の羽根部１５１に設けられた固着孔１５６との間の固着孔１５８が設けられている。
当該第２の羽根部１５２は、後述のように、通常、中扉５を閉めておくときには、第１の羽根部１５１側に折曲げられ、当該第１の羽根部１５１と当接され、これら第１の羽根部１５１の固着孔１５６と第２の羽根部１５２の固着孔１５８との間に、例えば、皿ビスとビス又はボルト及びナットの組合わせからなる締結具の皿ビス、ボルトを挿通し、ビス、ナットを例えば分電盤の箱体に止着して、当該第１の羽根部１５１を備えた蝶番１５を介して中扉５を分電盤Ｂの箱体１に固定することができる。
前記第３の羽根部１５３には、図示のように、上下方向に２つの蓋又は扉などの物を取付けることができる取付孔１５９，１５９が設けられており、例えば、分電盤の中蓋５が、例えば皿ビスにより当該取付孔１５９、１５９を利用して取付られる。
【００１０】
図７（Ａ）に示すように、前記の図６（Ｄ）及び（Ｅ）に示す分離された蝶番１５の図示右側の第１の羽根部１５１、第２の羽根部１５２、第１の軸部１５４及び第２の軸部１５５のヒンジ１５５０の下半分とヒンジピン（ヒンジ軸）１５５１よりなる部分を、その図示が省略されているが当該分離蝶番１５の第１の羽根部１５１における２つの支持体固定孔１５７に、例えば皿ビスＥを挿通させて、当該分離蝶番の第１の羽根部１５１を分電盤の箱体１に固定する。
一方、図７（Ａ）に示すように、中蓋５に、前記した第３の羽根部１５３と第２の軸部１５５のヒンジ１５５０の上半分とよりなる蝶番１５の左側部分を、その図示が省略されているが、第３の羽根部１５３の取付孔１５９に、例えば皿ビスＧを用いて取付けておく。
前記のように、第２の軸部１５５は抜き差しが可能に構成されているので、図７（Ａ）の矢標で示すように、中蓋５を取付けた第３の羽根部１５３に隣接するヒンジ１５５０を、第２の羽根部１５２に隣接するヒンジ１５５０に、第２の軸部１５５の露出したヒンジピン（ヒンジ軸）１５５１を位置決めとして、装着する。
図７（Ｂ）は、第３の羽根部１５３を第２の羽根部１５２に装着した例を図示してある。
図７（Ｃ）に示すように、当該第２の羽根部１５２を、第１の羽根部１５１側に折曲げ、図７（Ｄ）に示すように、当該第１の羽根部１５１と当接し、第１の羽根部１５１の固着孔１５６と第２の羽根部１５２の固着孔１５８との間に、例えば皿ビスＥに加えてビスＦを止着し、更に、図７（Ｄ）に矢標で示すように第３の羽根部１５３を回転させ、図７（Ｅ）に示すように、当該第１の羽根部１５１及び第２の羽根部１５２の上部に第３の羽根部１５３を展開して、当該蝶番１５を介して中蓋５にて分電盤の箱体１の開口面を閉鎖する。
当該中蓋５により閉鎖された分電盤の箱体１において、図７（Ｅ）に示す状態から、必要に応じて当該箱体１内部の中蓋５を開く際には、上記した第１の羽根部１５１に設けられた固着孔１５６と第２の羽根部１５２に設けられた固着孔１５８とに挿通された締結具Ｆを外す。
当該締結具Ｆを外すと、第１の羽根部１５１と第２の羽根部１５２との固着が解かれ、第２の羽根部１５２が第１の羽根部１５１から下落し、又、第３の羽根部１５３も下落し、元の図７（Ａ）に示す状態に戻る。
図７（Ｅ）のＸで示すラインでは、抜き差しが可能に構成された第２の軸部１５５であっても、第３の羽根部１５３を第２の羽根部１５２から脱すことが出来ないが、図７（Ｅ）のＹで示すラインに展開することにより、当該第２の軸部１５５は、その抜き差しが可能になり、当該箱体１の外部のＹラインにて、第３の羽根部１５３を第２の羽根部１５２から脱すことが出来、それにより、当該第３の羽根部１５３に取り付けられた中蓋５を取り外し開くことができる。
【００１１】
図８には、当該中蓋５を取り外し開いた状態の図を示す。図８に示すように、箱体１の前記外扉８を外し、前記ローレット部１４を外し、蝶番１５における第３の羽根部１５３を第２の羽根部１２から脱すと、当該中蓋５を取り外し容易に開くことができる。
【００１２】
図５に示すように、ローレット部１４は、ローレット１４０とフローティングナット１４１とを有してなる。
当該フローティングナット１４１を使用することにより、中蓋５の少々のズレに対してもローレット１４０をスムーズに挿着できる利点がある。
【００１３】
従来例では、前記のように、中蓋５を基板３に取付けるのに、中扉取付用支柱４を立設して中扉５を取付けていたが、本発明では、上記のように、中蓋５に工夫を施し、当該中蓋５を蝶番１５とローレット部１４とで取り付けるようにして、中扉取付用支柱４を立設せずに中扉５を取付け、又、基板３と中扉５とは各々別個に箱体１に取付るようにしたので、従来例の中扉取付用支柱４が不要となり、又、中扉５の取付にローレット部１４及び本発明者らにより考案された新規の蝶番１５を用いて行うことにより、分電盤外部との接触を断つ為の従来例の化粧枠６は必要が無くなり、更には、従来例の中扉５の取付に必要な中皿取付枠７をも不要とすることができた。
従って、従来例の分電盤における中扉（中皿）取付用支柱、化粧枠及び中皿取付枠７が不要となるので、部品点数が軽減され、簡単な組立にて短時間に分電盤を組立でき、又、重量のある中扉取付用支柱４や取付馬８などが無くなるので、分電盤が軽量化され、分電盤の輸送が楽になる。
従来例のような中扉取付用支柱４を設けないので、基板３と中扉５との間のスペースを拡大させることができ、スペースを有効利用することができるようになった。更に又、配線における電線が結束し易くなった。
又、本発明による蝶番１５を使用することにより、中蓋５の開閉が容易になったので、分電盤の点検などが容易になり、ブレーカ９．１０等の内機の脱着も容易になった。
本発明による特殊の蝶番を使用することにより、中蓋の開閉が容易になったので、分電盤の点検などが容易になり、ブレーカ９，１０等の内機の脱着も容易になり、特に、分電盤における中蓋５のような分電盤箱体の内部に比較的に深く引き込まれていて、当該内部ではその中蓋５が箱体の天井壁に当接して開閉しづらいような場合でも、本発明による蝶番を使用することにより、中蓋５の開閉が容易になった。
【００１４】
前記のように、本発明では、基板３と中扉５との間のスペースを拡大させることができ、その間のスペースを有効利用することができるので、図２（Ｂ）に示すように、当該基板３と中扉５との間のスペースに電線留１６を設置することにより、図示のように、当該電線留１６を用いて配線における電線Ｄを結束し易くなった。
【００１５】
図９に示すように、本発明では、当該基板３を止着している取付具１３のボルトを伸長させることができるので、当該基板３と中扉５との間の当該スペースを更に広げることが出来る。
【００１６】
図１０は、本発明の他の実施例を示し、当該実施例は、中扉５の取付にローレットや蝶番を使用しない例を示す。
【００１７】
本発明では、前記実施例に限定されず、適宜変更が可能である。
【産業上の利用可能性】
【００１８】
本発明の分電盤は、上記では、積算電力計などを設置した全ゆる種類の分電盤に適用できる。
【図面の簡単な説明】
【００１９】
【図１】本発明の実施例を示す分電盤の断面図である。
【図２】（Ａ）本発明の実施例を示す分電盤の一部断面構成図である。      （Ｂ）同分電盤に使用される電線留の説明図である。
【図３】本発明の実施例を示す分電盤における基板の外観図である。
【図４】（Ａ）本発明の実施例を示す基板とその取付具との締結状態を示す平面図である。      （Ｂ）本発明の実施例を示す基板とその取付具との締結状態を示す側面図である。      （Ｃ）図４（Ｄ）のＩ−Ｉ線断面図で、取付具における支持金物の断面図である。      （Ｄ）本発明の実施例を示す取付具における支持金物の平面図である。      （Ｅ）本発明の実施例を示す取付具の説明図である。
【図５】本発明の実施例を示す分電盤における中扉の外観図である。
【図６】（Ａ）本発明の実施例を示す蝶番の組立て平面図である。      （Ｂ）本発明の実施例を示す蝶番の組立て正面図である。      （Ｃ）本発明の実施例を示す蝶番の第３の羽根部の取脱正面図である。      （Ｄ）本発明の実施例を示す蝶番の分離平面図である。      （Ｅ）本発明の実施例を示す蝶番の分離正面図である。
【図７】（Ａ）本発明の実施例を示す蝶番の組立て前の説明図である。      （Ｂ）本発明の実施例を示す蝶番の組立て後の説明図である。      （Ｃ）本発明の実施例を示す蝶番の第２の羽根部を第１の羽根部に止着説明図で          ある。      （Ｄ）本発明の実施例を示す蝶番の開き状態の平面図である。      （Ｅ）本発明の実施例を示す蝶番の取付状態の平面図である。
【図８】本発明の実施例を示す分電盤の外扉及び中蓋の開き状態の実施例を示す構成図である。
【図９】本発明の他の実施例を示す基板の拡張状態を示す断面図である。
【図１０】本発明の他の実施例を示す分電盤の断面図である。
【図１１】従来例を示す分電盤の構成図である。
【図１２】従来例を示す分電盤の説明図である。
【符号の説明】
【００２０】
１        箱体
３        基板
５        中蓋
９        主幹ブレーカ
１０      分岐ブレーカ
１５      蝶番
１５１    第１の羽根部
１５２    第２の羽根部
１５３    第３の羽根部
１５４    第１の軸部
１５５    第２の軸部
１５６    固着孔
１５７    支持体固着孔
１５８    固着孔
１５９    取付孔
Ｂ        分電盤
【図１】
2006020422.tif 000003
【図２】
2006020422.tif 000004
【図３】
2006020422.tif 000005
【図４】
2006020422.tif 000006
【図５】
2006020422.tif 000007
【図６】
2006020422.tif 000008
【図７】
2006020422.tif 000009
【図８】
2006020422.tif 000010
【図９】
2006020422.tif 000011
【図１０】
2006020422.tif 000012
【図１１】
2006020422.tif 000013
【図１２】
2006020422.tif 000014